(57)【特許請求の範囲】
【請求項１】
床面に洗浄液を供給しながら円盤状のブラシを床面に圧止し、このブラシを回転駆動させて床面を擦ることによって洗浄する床磨き機における洗浄液飛散防止装置であって、ブラシを覆っているブラシカバーを備えたブラシ駆動機構におけるブラシカバー上部に、ブラシカバー上面に沿って撓み自在に湾曲されて覆い被せられ、ブラシカバー上のブラシ駆動機構の駆動源に嵌め合わせる嵌め合わせ口を開口形成してある上下に撓む支持カバーと、ブラシカバー周囲を囲繞して支持カバー周縁に連繋されて周縁から垂れ下げられ、下縁が床面に接している飛散防止カバーとを備えて成り、支持カバーの周縁には周縁の外部に開放されることで放射状に配列された複数の窄まりスリットを切欠形成し、飛散防止カバーは、ブラシが擦る床面と傾斜揺動するブラシカバー上面の最大高さ位置との間隔に比し大きい高さに形成されていることを特徴とする床磨き機用洗浄液飛散防止装置。
【請求項２】
支持カバーは、軟弾性素材によって形成されている請求項１に記載の床磨き機用洗浄液飛散防止装置。
【請求項３】
支持カバー、飛散防止カバーで囲繞された空域内でブラシカバーが傾斜揺動されるようにしてある請求項１または２に記載の床磨き機用洗浄液飛散防止装置。
【発明の詳細な説明】
【０００１】
【発明の属する技術分野】
本発明は、ビル、工場等における床面の清掃等のために使用されるフロアーポリッシャーと称される主として手押し移動式の電動床磨き機においての洗浄液の周囲への飛散、特に移動に伴いブラシ駆動機構が前後左右に傾けられたときに開放されるブラシ部分側方からの洗浄液等の周囲への飛散を防止する床磨き機用洗浄液飛散防止装置に関するものである。
【０００２】
【従来の技術】
従来からビル、工場等におけるビニル樹脂製タイル・シート等が敷設されている床面を清掃するために使用されるフロアーポリッシャーと称される手押し移動式の電動床磨き機は、床面に洗浄液を供給しながら円盤状のブラシを床面に圧止し、このブラシを回転駆動させて床面を強く擦ることによって清浄化するのである。この床磨き機自体は概略的には、内蔵したモータによって回転されるブラシを覆っているブラシカバーを備えたブラシ駆動機構と、このブラシ駆動機構に対して前後左右の任意方向への傾きを手動操作で制御する自在手段を介してブラシ駆動機構に連繋した棒状の操作ハンドルと、ブラシ駆動機構を前後に進退させるよう自在手段に付設した移動輪とを備えて成っているのである。そしてこの床磨き機を使用して床面を洗浄するに際し、床面に沿って前後左右に移動走行させながら行っており、この移動操作には、ブラシ自体が床面を擦りながら回転しているために操作ハンドルに対する前後の傾動あるいは左右へのひねり等によって自在手段を介してブラシ駆動機構全体を前後左右に傾けることで移動方向を変換するものとなっている。
【０００３】
【発明が解決しようとする課題】
このようにブラシを回転駆動している床磨き機自体の移動方向の変換に際しては、ブラシを備えたブラシ駆動機構全体を前後左右に傾けるから、それに伴いブラシ面も傾くと同時にブラシカバー下縁と床面との間に部分的に間隙が生じることがある。そうすると床面の清掃に際し供給される洗浄液と共に床面を擦るよう回転されるブラシにあってはその回転に伴う遠心力作用でブラシカバー下縁と床面との間に生じる間隙から洗浄液を周囲に飛散させてしまう。この飛散された洗浄液は清掃後の床面、周囲の壁面その他、特に壁面下部における巾木部分にこびり付き状に残置されることでかえって汚損させてしまったり、清掃作業員の足下を汚損し、その後の二次清掃を面倒なものとさせてしまったりしている。
【０００４】
そこで本発明は叙上のような従来存した諸事情に鑑み創出されたもので、床磨き機の手押し走行移動に伴いそれを移動制御すべくブラシ駆動機構全体が傾けられることによってブラシカバー下縁と床面との間に生じる間隙を自動的に閉塞して洗浄液等の周囲への飛散、周囲に対する汚損その他を防止し、また自動的に閉塞する飛散防止カバーの上下動も円滑にしてブラシ駆動機構全体に対する傾け操作等を阻害することがないようにした床磨き機用洗浄液飛散防止装置を提供することを目的とする。
【０００５】
【課題を解決するための手段】
上述した目的を達成するため、本発明にあっては、床面に洗浄液を供給しながら円盤状のブラシ４を床面に圧止し、このブラシ４を回転駆動させて床面を擦ることによって洗浄するときの洗浄液飛散防止装置１０であって、ブラシ４を覆っているブラシカバー５を備えたブラシ駆動機構２におけるブラシカバー５上部に覆い被せられ、上下に撓む支持カバー１１と、ブラシカバー５周囲を囲繞して支持カバー１１周縁から垂れ下げられ、下縁が床面に接している飛散防止カバー２０とを備えて成るものである。
支持カバー１１はブラシカバー５上のブラシ駆動機構２の駆動源（３）に嵌め合わせる嵌め合わせ口１２を開口形成してあるものとでき、また支持カバー１１は、軟弾性素材によって形成され、更にはブラシカバー５上面に沿って撓み自在に湾曲されているものとできる。
また、支持カバー１１の周縁部分には、支持カバー１１の周縁で外部に開放されることで放射状に配列された複数の窄まりスリット１４を切欠形成することができる。
あるいは飛散防止装置１０は、ブラシ４を覆っているブラシカバー５を備えたブラシ駆動機構２におけるブラシカバー５上部に覆い被せられる支持カバー１１と、ブラシカバー１１周囲を囲繞して支持カバー１１周縁に連繋され、下縁が床面に接している飛散防止カバー２０とを備えて成るものである。
支持カバー１１、飛散防止カバー２０で囲繞された空域内でブラシカバー５が傾斜揺動されるように構成でき、また飛散防止カバー２０は、ブラシ４が擦る床面と傾斜揺動するブラシカバー５上面の最大高さ位置との間隔に比し大きい高さに形成することができる。
【０００６】
以上のように構成された本発明に係る床磨き機用洗浄液飛散防止装置において、ブラシカバー５下縁と床面との間に生じる間隙は飛散防止カバー２０によって囲繞閉塞されており、床磨き機本体１の移動に伴いブラシ駆動機構２自体が所定の方向に傾けられるとき、飛散防止カバー２０は支持カバー１１自体の撓み性によって上下動自在であることでその下縁は床面に常時接して間隙を閉塞し、回転するブラシ４の遠心作用による洗浄液等の周囲への飛散を防止させる。
軟弾性素材にて形成された支持カバー１１自体は、ブラシカバー５周縁の湾曲面に沿って撓み自在にしっくりと当接し、この支持カバー１１によって支持される飛散防止カバー２０の上下動を円滑にさせる。
またブラシカバー５上部に覆い被せられる支持カバー１１と、ブラシカバー５を囲繞して支持カバー１１周縁に連繋され、下縁が床面に接している飛散防止カバー２０とで囲繞された空域内でブラシカバー５が傾斜揺動されることで、ブラシカバー５自体が自在に傾斜揺動しても、ブラシカバー５内で回転するブラシ４からの洗浄液等の周囲への飛散を防止させる。
【０００７】
【発明の実施の形態】
以下、図面を参照して本発明の実施の形態を説明するに、図に示される符号１は手押し移動される電動式の床磨き機本体であり、駆動源である内蔵したモータ３によって床面上で回転されるブラシ４を覆っているブラシカバー５を備えた正面から見てほぼ凸字形を呈するブラシ駆動機構２と、このブラシ駆動機構２に対して前後左右の任意方向への傾きを手動操作で制御する自在手段７を介してブラシ駆動機構２に連繋した棒状の操作ハンドル６と、ブラシ駆動機構２を前後に進退させるよう自在手段７に付設した移動輪８とを備えて成る。そして移動輪８に対する上下動操作によって、ブラシ駆動機構２下方に移動輪８を突出配置したときには床磨き機本体１全体を移動できるようにしてあり、またブラシ駆動機構２の底縁上方に持ち上げたときにはブラシ駆動機構２のブラシ４下面が床面に接し、ブラシ４の回転と共に供給される洗浄液によって床面を洗浄できるようになっている。
【０００８】
そしてブラシ駆動機構２におけるブラシカバー５の周囲はこのブラシカバー５の下縁と床面との間で露出されるブラシ４周囲の間隙を閉塞すべく上下動する飛散防止カバー２０を備えた飛散防止装置１０によって覆われている。すなわちこの飛散防止装置１０は、ブラシカバー５上部に覆い被せられ、上下に撓む支持カバー１１と、ブラシカバー５周囲を囲繞して支持カバー１１周縁から垂れ下げられ、下縁が床面に接している飛散防止カバー２０とを備えて成るものである。
【０００９】
支持カバー１１は、ブラシ駆動機構２におけるブラシカバー５全体を覆うように、柔軟な軟弾性素材によってほぼ円盤状に形成されたカバー本体のほぼ中央に、駆動源であるモータ３のカバー周囲に嵌め合わせられる嵌め合わせ口１２をほぼ中央に開口形成することでほぼドーナツ盤状に形成されていて、モータ３周囲のブラシカバー５の上部のほぼ全域を覆い被せるようになっている。この支持カバー１１自体は、所定肉厚の例えば軟質合成樹脂材製シート、ゴム素材製シート等によって形成されている。なお図示を省略したが、この支持シート１１自体は図示のようにドーナツ盤状として形成されずに、モータ３のカバーをも覆うようにハット形状のものとして形成されることもある。
【００１０】
またこの支持カバー１１においては、ブラシカバー５上に設けられている種々な突部例えば床磨き機本体１自体を持ち上げるためのコ字形状の取手９、ブラシカバー５に関連して固定される各種の部材を止めるボルト類の頭部、モータ３駆動用の電源ケーブル、前述の自在手段７その他を回避するための切り抜き部分１３をドーナツ盤部分に切り抜き状に開穿したり、周縁から切欠状に切除したりしてある。すなわち支持カバー１１自体をブラシカバー５上面に被せるに当たり、ブラシカバー５上面にしっくりと望ましくは若干の空隙を形成して当接するように、余分な突起物を回避する切り抜き部分１３を形成してある。この切り抜き部分１３の配置、形状、数その他は図示例に限らず、ブラシカバー５上面に突出する各種の突起物の配置、形状、数その他に対応するものとなっている。
【００１１】
更にこの支持カバー１１の周縁部分には、ブラシカバー５における湾曲している周縁にしっくりと当接するように、また飛散防止カバー２０の上下動を円滑にさせるべく上下に撓むように支持カバー１１の周縁で外部に開放されることで放射状に配列された細幅状の複数の窄まりスリット１４を切欠形成してある。この窄まりスリット１４によって支持カバー１１の周縁部分は三次元的に湾曲しているブラシカバー５の周縁にほぼしっくりと撓み自在に当接したものとなり、自身の撓みを許容させることで垂れ下がり状に支持する飛散防止カバー２０下縁の床面に対する常時の接触が得られるようにする。
【００１２】
一方、飛散防止カバー２０は所定幅員の例えば適宜肉厚のゴム板、軟質合成樹脂板等の軟質素材製の帯状材によって形成されており、下縁が床面に当接する状態でブラシカバー５周囲を囲繞してブラシカバー５内のブラシ４の周縁部分を囲繞している。この飛散防止カバー２０自体は、支持カバー１１の周縁部分から例えば溶着、ピン止め、紐・番線材等による紐止めその他の適当な固着手段１９を介して垂れ下がり状に連繋支持されており、図１乃至図３に示すように支持カバー１１の周縁と飛散防止カバー２０の上縁とが重なり状となっていたり、図４、図５に示すように支持カバー１１の周縁と飛散防止カバー２０の上縁とが側面からみてほぼ直交状に突き合わせ配置されるようになっていたり、場合によっては図示を省略したが一体形成されたりしている。
【００１３】
なお固着手段１９を介しての支持カバー１１に対する飛散防止カバー２０の連繋支持は、支持カバー１１によってブラシカバー５に飛散防止カバー２０が取り付けられた状態で、ブラシ駆動機構２が任意の方向に傾けられるときの上方あるいは下方に支持カバー１１の周縁が撓むことに伴い、飛散防止カバー２０の下縁が床面に常時接触しているように、飛散防止カバー２０の高さ方向での位置が設定されている。すなわち飛散防止カバー２０がブラシカバー５周囲に囲繞装着された状態で下縁が床面に接触しているとき、ブラシ駆動機構２が任意の方向に傾けられたのに対応して床面から押し上げられ、あるいは自重等で下がることで追随して飛散防止カバー２０が部分的に傾き、また変位するように、支持カバー１１の周縁が自在に撓むことで飛散防止カバー２０自体の上下方向に沿うスライドを円滑にし、またそのスライドによっても支持カバー１１自体がブラシカバー５から外れないようにしている必要がある。こうした飛散防止カバー２０自体の部分的な傾き、変位を許容するように支持カバー１１の周縁部分の撓み柔軟性が設定されており、これらは例えばブラシ駆動機構２の大きさ、径その他にほぼ対応して、飛散防止カバー２０自体の長さと共に予め設定されている。
【００１４】
また図４、図５に示すように支持カバー１１、飛散防止カバー２０で囲繞された空域内でブラシカバー５が傾斜揺動されるようにすることも可能である。すなわち飛散防止カバー２０自体の高さを、ブラシ４が擦る床面と傾斜揺動するときのブラシカバー５上面の最大高さ位置との間隔に比し大きく形成しておくと共に、ある程度の剛性がある飛散防止カバー２０としておくことで、ブラシカバー５周囲を囲繞する飛散防止カバー２０の空域内でブラシカバー５が自在に傾斜揺動されるようにする。こうすることでブラシカバー５周縁から若干でも間隙をおいてブラシカバー５を囲繞する飛散防止カバー２０が区画形成する空域内で、ブラシカバー５が自在に傾斜揺動できるものとなり、飛散防止カバー２０が上下動することなく洗浄液等の飛散を防止するものとなる。
【００１５】
なお飛散防止カバー２０自体の高さは、ブラシ４自体がハードあるいはソフトタイプのものとして選択使用されるとき、その高さが異なるものとなってもそれに対応可能な汎用性あるものとして形成しておくことが望ましい。
【００１６】
次にこれの使用の一例を説明すると、床磨き機本体１におけるブラシ駆動機構２のブラシカバー５上部に、モータ３のカバーを嵌め合わせ口１２によって回避させて支持カバー１１によって覆い被せる。そしてこのように支持カバー１１によって覆い被せることでブラシカバー５周囲に、下縁が床面に接する飛散防止カバー２０を支持固定するものとし、ブラシカバー５下方で露出しているブラシ４の周囲を囲繞した状態で飛散防止カバー２０を床磨き機本体１にセットする。次いで床磨き機本体１を通常の用法に従い使用すればよく、このとき飛散防止カバー２０の下縁が床面に常時接したものとなるのであり、床磨き機本体１の移動に伴う移動方向の変換に際し、ブラシ駆動機構２を操作ハンドル６によって傾けるときにブラシ４面と床面との間でブラシ駆動機構２側方に間隙が生じても、飛散防止カバー２０が支持カバー１１の周縁部分のたわみによって部分的にでも自動的に上下動・変位して、あるいは飛散防止カバー２０で囲繞された空域内でブラシカバー５自体が傾斜揺動することで、ブラシカバー５下縁と床面との間に生じ得る間隙を閉塞し、洗浄液等を周囲に飛散させないのである。
【００１７】
【発明の効果】
本発明は以上のように構成されているために、床磨き機の走行移動に伴いそれを移動制御すべく床磨き機本体１のブラシ駆動機構２全体が傾けられることに対応してブラシカバー５下縁と床面との間に生じる間隙を自動的に閉塞して洗浄液等の周囲への飛散、周囲に対する汚損その他を防止できる。またその間隙を自動的に閉塞する飛散防止カバー２０の上下動も円滑にし、また飛散防止カバー２０内の空域内におけるブラシカバー５自体の傾斜揺動を自在にし、ブラシ駆動機構２全体に対する傾け操作等を阻害することもないのである。
【００１８】
すなわちこれは本発明において、ブラシ４を覆っているブラシ駆動機構２におけるブラシカバー５上部に覆い被せられる支持カバー１１と、ブラシカバー５周囲を囲繞して支持カバー１１から垂れ下げられ、あるいは支持カバー１１周縁に連繋されて下縁が床面に接している飛散防止カバー２０とを備えて成るからであり、これによって、ブラシ駆動機構２の傾きに伴い生じ得るブラシカバー５と床面との間隙を、部分的、変位的にでも上下動される飛散防止カバー２０によって、あるいは飛散防止カバー２０内の空域内でブラシカバー５が傾斜揺動することによって、閉塞できるものとなり、洗浄液等の周囲への飛散等を防止できるのである。
【００１９】
また支持カバー１１は、ブラシカバー５上のブラシ駆動機構２のモータ３の如き駆動源に嵌め合わせる嵌め合わせ口１２を開口形成してあるから、ブラシカバー５上面に嵌め合わせ状に配置でき、ブラシカバー５に対する装着はワンタッチで簡単に行える。また支持カバー１１は、軟弾性素材によって形成され、支持カバー１１自体がブラシカバー５上面に沿って撓み自在に湾曲されていることと相俟ち、その周縁が上下方向に沿って円滑に撓み、ブラシ駆動機構２の傾斜揺動に伴う飛散防止カバー２０の上下動を円滑にし、飛散防止カバー２０の下縁を床面に常時安定して接触させ、飛散防止カバー２０下縁と床面との間に間隙を生じさせないのである。
【００２０】
またブラシカバー５上部に覆い被せられる支持カバー１１と、ブラシカバー５周囲を囲繞して支持カバー１１周縁に連繋され、下縁が床面に接している飛散防止カバー２０とで囲繞された空域内でブラシカバー５が傾斜揺動されるようにしてあるから、床磨き機本体１自体の種々な方向への移動に伴い、ブラシカバー５自体が自在に傾斜揺動しても、ブラシカバー５内で回転するブラシ４からの洗浄液等の周囲への飛散を確実に防止できる。
【００２１】
しかも支持カバー１１によって飛散防止カバー２０をブラシカバー５に対して着脱自在にさせるから、例えば飛散防止カバー２０自体の下縁が床面に接することで摩耗されたり、飛散付着される洗浄液等によって汚損されたりしたときに、飛散防止カバー２０を交換したり、点検したりするとき等に支持カバー１１によって飛散防止カバー２０を自在に着脱させることができ、場合によっては飛散防止カバー２０を使用しない清掃作業をも可能にする。
【図面の簡単な説明】
【図１】本発明の実施の形態を示す分解斜視図である。
【図２】同じく床磨き機本体に装着した状態の要部断面図である。
【図３】同じくその平面図である。
【図４】本発明の他の実施の形態における斜視図である。
【図５】同じく床磨き機本体に装着した状態の要部断面図である。
【符号の説明】
１…床磨き機本体                    ２…ブラシ駆動機構
３…モータ                          ４…ブラシ
５…ブラシカバー                    ６…操作ハンドル
７…自在手段                        ８…移動輪
９…取手
１０…飛散防止装置                  １１…支持カバー
１２…嵌め合わせ口                  １３…切り抜き部分
１４…窄まりスリット                １９…固着手段
２０…飛散防止カバー
【図１】
0004643859.tif 000002
【図２】
0004643859.tif 000003
【図３】
0004643859.tif 000004
【図４】
0004643859.tif 000005
【図５】
0004643859.tif 000006